(57)【要約】【課題】持ち運びに適したカードホルダーを提供すること。【解決手段】全体が透光性の樹脂シートから構成された折り畳み可能なカードホルダーであって、折り畳み部３０を介して一対のカード収容部１０，２０を有し、一対のカード収容部１０，２０は、カードホルダー１を折り畳んだ場合に内側となる内側樹脂シート１１，２１とカードホルダー１を折り畳んだ場合に外側となる外側樹脂シート１２，２２とを重ね合わせて構成され、内側樹脂シート１１，２１および外側樹脂シート１２，２２から構成される第１挿入口１４，２４と、内側樹脂シート１１，２１の中央部を切り抜いて形成した第２挿入口１５，２５とを有する、カードホルダー。【選択図】図１
2020029050.tif 000002
【特許請求の範囲】
【請求項１】
全体が透光性の樹脂シートから構成された折り畳み可能なカードホルダーであって、
折り畳み部を介して一対のカード収容部を有し、
前記一対のカード収容部は、前記カードホルダーを折り畳んだ場合に内側となる内側樹脂シートと前記カードホルダーを折り畳んだ場合に外側となる外側樹脂シートとを重ね合わせて構成され、前記内側樹脂シートおよび前記外側樹脂シートから構成される第１挿入口と、前記内側樹脂シートの中央部を切り抜いて形成した第２挿入口とを有する、カードホルダー。
【請求項２】
前記一対のカード収容部は、重ね合わせた前記内側樹脂シートおよび前記外側樹脂シートの左右両端を溶着させた溶着部を有し、前記溶着部を中心として前記内側に湾曲している、請求項１に記載のカードホルダー。
【請求項３】
前記一対のカード収容部は、重ね合わせた前記内側樹脂シートおよび前記外側樹脂シートの左右両端を溶着させた溶着部を有し、前記溶着部は、前記内側樹脂シートおよび前記外側樹脂シートの左右両端からそれぞれ５ｍｍ以下の距離に形成されている、請求項１または２に記載のカードホルダー。
【請求項４】
前記一対のカード収容部は、左右下端部に丸みを有する湾曲部を有し、
前記湾曲部は開口している、請求項１ないし３のいずれかに記載のカードホルダー。
【請求項５】
前記一対のカード収容部に、紐を挿通可能な穴を有する、請求項１ないし４のいずれかに記載のカードホルダー。
【請求項６】
前記カード収容部は、前記内側樹脂シートおよび／または前記外側樹脂シートに画像が印刷されている、請求項１ないし５のいずれかに記載のカードホルダー。
【発明の詳細な説明】
【技術分野】
【０００１】
本発明は、持ち運びに適したカードホルダーに関する。
【背景技術】
【０００２】
従来、クレジットカードなどのカード類を収納することができる財布が知られている（たとえば特許文献１）。
【先行技術文献】
【特許文献】
【０００３】
【特許文献１】特開２０１４−１４４１９４号公報
【発明の概要】
【発明が解決しようとする課題】
【０００４】
しかしながら、一般に財布は厚みのある革などの素材で作成されていることに加えて、硬貨や紙幣なども入れられるために厚みが増し、ポケットに入れて持ち運ぶときに、ポケットが膨れてしまい持ち運びがしにくいという問題があった。
【０００５】
本発明は、持ち運びに適したカードホルダーを提供することを目的とする。
【課題を解決するための手段】
【０００６】
本発明に係るカードホルダーは、全体が透光性の樹脂シートから構成された折り畳み可能なカードホルダーであって、折り畳み部を介して一対のカード収容部を有し、前記一対のカード収容部は、前記カードホルダーを折り畳んだ場合に内側となる内側樹脂シートと前記カードホルダーを折り畳んだ場合に外側となる外側樹脂シートとを重ね合わせて構成され、前記内側樹脂シートおよび前記外側樹脂シートから構成される第１挿入口と、前記内側樹脂シートの中央部を切り抜いて形成した第２挿入口とを有する。
上記カードホルダーにおいて、前記カード収容部は、重ね合わせた前記内側樹脂シートおよび前記外側樹脂シートの左右両端を溶着させた溶着部を有し、前記溶着部を中心として前記内側に湾曲するように構成することができる。
上記カードホルダーにおいて、前記一対のカード収容部は、重ね合わせた前記内側樹脂シートおよび前記外側樹脂シートの左右両端を溶着させた溶着部を有し、前記溶着部は、前記内側樹脂シートおよび前記外側樹脂シートの左右両端からそれぞれ５ｍｍ以下の距離に形成されているように構成することができる。
上記カードホルダーにおいて、前記一対のカード収容部は、左右下端部に丸みを有する湾曲部を有し、前記湾曲部は開口するように構成することができる。
上記カードホルダーにおいて、前記一対のカード収容部に、紐を挿通可能な穴を有するように構成することができる。
上記カードホルダーにおいて、前記内側樹脂シートおよび／または前記外側樹脂シートに画像が印刷されているように構成することができる。
【発明の効果】
【０００７】
本発明によれば、持ち運びに適したカードホルダーを提供することができる。
【図面の簡単な説明】
【０００８】
【図１】本実施形態に係るカードホルダーの平面図である。
【図２】図１のII−II線に沿う断面図である。
【図３】本実施形態に係るカードホルダーの溶着前の形成シートを示す図である。
【図４】折り畳んだ状態の本実施形態に係るカードホルダーの正面図である。
【図５】本実施形態に係るカードホルダーの使用状態を説明するための図である。
【図６】本実施形態に係るカードホルダーに画像を印刷した状態を説明するための図である。
【図７】他の実施形態に係るカードホルダーの平面図（その１）である。
【図８】他の実施形態に係るカードホルダーの平面図（その２）である。
【発明を実施するための形態】
【０００９】
以下、本実施形態に係るカードホルダーを、図に基づいて説明する。図１は、本実施形態に係るカードホルダー１の平面図であり、図２は、図１のII−II線に沿う断面図である。なお、説明の便宜上、図２のＸ軸正方向を上方向、Ｘ軸負方向を下方向としても説明する。また、図１のＹ軸正方向を右方向、Ｙ軸負方向を左方向としても説明する。
【００１０】
本実施形態に係るカードホルダー１は、全体が透光性の樹脂シートで構成されている。カードホルダー１を構成する樹脂シートとしては、たとえばポリプロピレン、ポリエチレン、ポリスチレン、ポリ塩化ビニル、ポリエステル、ポリメチルメタクリレート、および、ポリビニルアセテートの中から選択される一の熱可塑性樹脂製を用いることができる。また、カードホルダーを構成する樹脂シートは、一定の強度を有すれば、薄くすることが好ましく、たとえば、０．１５ｍｍ〜０．３ｍｍの厚さとすることができる。
【００１１】
カードホルダー１は、図１に示すように、一対のカード収納部１０，２０と、折り畳み部３０とを有する。カードホルダー１は、折り畳み部３０で折り曲げることで、図２に示すように、一対のカード収納部１０，２０が対向するように、折り畳むことができる。
【００１２】
一対のカード収納部１０，２０は、内側樹脂シート１１，２１と、外側樹脂シート１２，２２とを重ね合わせて構成されている。なお、本実施形態では、カードホルダー１を折り畳み部３０で折り畳んだ場合に、カードホルダー１の内側となる部分を内側樹脂シート１１，２１と称し、カードホルダー１の外側になる樹脂シートを外側樹脂シート１２，２２と称す。
【００１３】
ここで、図３は、本実施形態に係るカードホルダー１を溶着する前の形成シートを示す図である。本実施形態では、カードホルダー１を製造する際に、まず、一枚の透光性樹脂シートを、図３に示す形状に打ち抜き、形成シート１’を形成する。形成シート１’を形成するための樹脂シートは、上述したように、たとえば０．１５ｍｍ〜０．３ｍｍの厚さであり、ポリプロピレンやポリエチレンなどの熱可塑性樹脂を用いることができる。そして、底部１７，２７となる位置にスジ（または折り目）を形成し、底部１７，２７で折り畳むことで、内側樹脂シート１１，２１および外側樹脂シート１２，２２になる部分を形成することができる。なお、打ち抜き加工を行う方法は、樹脂シートを抜型の間に挟んで打ち抜く方法や、ロール表面に刃を有するロータリーカッターによって樹脂シートから形成シートを切り抜く方法などがある。
【００１４】
そして、内側樹脂シート１１，２１と、外側樹脂シート１２，２２とをそれぞれ重ね合わせて、内側樹脂シート１１，２１および外側樹脂シート１２，２２の周縁部（溶着部１３，２３となる位置）を溶着させることで、図１および図２に示すように、一対のカード収納部１０，２０をポケット状に構成することができる。なお、溶着方法は特に限定されず、たとえば、超音波振動ホーンと呼ばれる共鳴体を通して印加した超音波により、溶着部１３，２３に強力な摩擦熱を発生させ、樹脂の溶融温度まで瞬時に上昇させることで、溶着部１３，２３を溶着させる方法や、加熱した押圧面を溶着部１３，２３に圧着させることで、熱圧着（ヒートシール）により溶着部１３，２３を溶着させることもできる。
【００１５】
溶着部１３，２３は、上述したように、内側樹脂シート１１，２１および外側樹脂シート１２，２２の左右両端（Ｙ方向の両端部）に形成される。内側樹脂シート１１，２１および外側樹脂シート１２，２２の左右両端から溶着部１３，２３までの距離（幅）は５ｍｍ以下となっている。このように、溶着部１３，２３を内側樹脂シート１１，２１および外側樹脂シート１２，２２の左右両端に近い位置に設けることで、樹脂シートの無駄を省くことができる。
【００１６】
また本実施形態においては、溶着部１３、２３を溶着させる場合に、内側樹脂シート１１，２１側から熱または振動を印加することで、カード収納部１０，２０の周縁部が、図４に示すように、溶着部１３、２３を中心として内側樹脂シート１１，２１側に湾曲した形状となる。これにより、本実施形態に係るカードホルダー１では、カードホルダー１を折り畳んだ場合に、カードホルダー１が内側に丸みを有する構造となり、カードホルダー１をポケットなどに出し入れしやすくすることができる。なお、図４は、折り畳んだ状態の本実施形態に係るカードホルダーの正面図である。
【００１７】
一対のカード収納部１０，２０は、第１挿入口１４，２４および第２挿入口１５，２５を備える。第１挿入口１４，２４は、図１に示すように、内側樹脂シート１１，２１と外側樹脂シート１２，２２とから構成された開口部である。第１挿入口１４，２４からクレジットカードなどのカード類や紙幣などをカード収納部１０，２０に挿入することができる。また、第１挿入口１４，２４は、内側樹脂シート１１，２１の上端部分を凹状に切り取ることで、第１挿入口１４，２４からカード類等を取り出しやすくなっている。
【００１８】
また、一対のカード収納部１０，２０の内側シート１１，２１の中央部分を切り取ることで、第２挿入口１５，２５が形成されている。第２挿入口１５，２５は、一定の幅（Ｙ軸方向の長さ）を有しており、図５に示すように、カード類や紙幣などを、第２挿入口１５，２５からカード収容部１０，２０内に挿入することができる。また、第２挿入口１５，２５は、図１に示すように、斜め方向（ＸＹ方向）に切り込みを入れて形成されており、これにより、第２挿入口１５，２５からカード類や紙幣などを取り出しやすくなっている。
【００１９】
さらに、一対のカード収納部１０，２０は、図１および図５に示すように、左右下端部（底部１７，２７の左右両端）に湾曲部１６，２６を有する。湾曲部１６，２６は、内側樹脂シート１１、２１と外側樹脂シート１２，２２とから構成されており、溶着がされていないため、開口を有し、空気を通気することができる。これにより、第１挿入口１４，２４または第２挿入口１５，２５からカード収容部１０，２０内にカード類が挿入された場合でも、カード収容部１０，２０内の空気を、湾曲部１６，２６を介してカード収容部１０，２０の外に排出させることができ、カード類や紙幣などを滑らかにカード収容部１０，２０に収容させることができる。
【００２０】
折り畳み部３０は、スジ（溝）を入れることで形成されており、折り畳み部３０において、カードホルダー１を内側に折り畳み易く加工されている。折り畳み部３０の左右幅は、底部１７，２７の左右幅と同幅になるように一対の切り欠き３１が形成されている。切り欠き３１は、カードホルダー１の湾曲部１６，２６と対向する２つの角部が丸みをおびるように形成されている。換言すれば、カードホルダー１の４つの角部（湾曲部１６，２６および後述の切り欠き３１）は、いずれも丸みをおびるように形成されているので、カードホルダー１をポケット等へ挿入する際に角部がひっかかることがない。
【００２１】
なお、本実施形態では、形成シート１’を切り抜く際に、図３に示すように、内側樹脂シート１１，２１の中央部に第２挿入口１５，２５となる孔を切り抜くとともに、第１挿入口１４，２４となる部分の上端を凹状に切り抜くことができる。また、同様に、形成シート１’を切り抜く際に、図３に示すように、切り欠き３１、および湾曲部１６，２６となる部分を湾曲に切り抜くこともできる。さらに、形成シート１’を切り抜く際に、図３に示すように、折り畳み部３０および底部１７，２７にスジ（溝）を入れる加工を同時に行うこともできる。このように、形成シート１’を切り抜く際に、第１挿入口１４，２４、第２挿入口１５，２５、湾曲部１６，２６、折り畳み部３０、および底部１７，２７を形成するための前処理を行うことで、内側樹脂シート１１，２１と外側樹脂シート１２，２２とを重ね合わせて溶着部１３，２３で溶着させるだけで、カードホルダー１を容易かつ迅速に製造することができる。
【００２２】
また、本実施形態では、図６に示すように、内側樹脂シート１１，２１または外側樹脂シート１２，２２に任意の画像（例えば、イベント名・開催年、イベント出演者・キャラクターの肖像・画像、イラスト、絵、写真等）を印刷などにより施すことができる。なお、一対のカード収納部１０，２０にそれぞれ別の画像を印刷してもよいし、一対のカード収納部１０，２０に跨がるように１つの画像を印刷してもよい。これにより、本実施形態に係るカードホルダー１の購買意欲を喚起することができ、また、ノベルティ用の製品として提供することもできる。なお、印刷方法は特に限定されず、たとえば、シルクスクリーン印刷、オフセット印刷、箔押し法などの方法で印刷することができる。
【００２３】
なお、本実施形態に係るカードホルダー１は、ズボンなどのポケットに入る大きさとすることが好ましい。たとえば、折り畳み時のカードホルダー１の幅（Ｙ方向の長さ）を７ｃｍ、折り畳み時のカードホルダー１の長さ（Ｘ方向の長さ）を１０ｃｍとすることができる。
【００２４】
以上のように、本実施形態に係るカードホルダー１は、透光性の樹脂シートから構成され、折り畳み部３０を介して一対のカード収納部１０，２０を有し、一対のカード収納部１０，２０は、内側樹脂シート１１、２１と外側樹脂シート１２，２２とを重ね合わせて構成され、内側樹脂シート１１，２１および外側樹脂シート１２，２２から構成される第１挿入口１４，２４と、内側樹脂シート１１，２１の中央部を切り抜いて形成した第２挿入口１５，２５とを有する。このように、本実施形態に係るカードホルダー１は、薄い樹脂シートを用いて構成されているため、図５に示すように、カード類や紙幣を挿入した状態で、ズボンのポケットに入れた場合も、ポケットが膨らまず、持ち運びに便利である。また、本実施形態に係るカードホルダー１では、それぞれのカード収容部１０，２０に、カード類や紙幣を挿入することができる挿入口を、第１挿入口１４，２４と第２挿入口１５，２５の２つずつ有するため、複数の種類のカード類や紙幣を分けて持ち運びすることができる。
【００２５】
また、一対のカード収容部１０，２０は、内側樹脂シート１１，２１および外側樹脂シート１２，２２の左右両端を溶着させた溶着部１３，２３を有し、溶着部１３，２３を中心として内側に湾曲しているため、カードホルダー１を折り畳んだ場合に、カードホルダー１が内側に丸みを有する構造となり、カードホルダー１をポケットなどに出し入れしやすくすることができる。また、溶着部１３，２３は、内側樹脂シート１１，２１および外側樹脂シート１２，２２の左右両端から５ｍｍ以下の距離に形成されているため、一対のカード収容部１０，２０の収容範囲を大きくすることができ、また樹脂シートの無駄を省くことができる。さらに、一対のカード収容部１０，２０は、左右下端部に丸みを有する湾曲部１６，２６を有し、湾曲部１６，２６は開口しているため、第１挿入口１４，２４または第２挿入口１５，２５からカード収容部１０，２０内にカード類が挿入された場合でも、カード収容部１０，２０内の空気を、湾曲部１６，２６を介してカード収容部１０，２０の外に排出させることができ、カード類を滑らかにカード収容部１０，２０に収容させることができる。
【００２６】
さらに、本実施形態に係るカードホルダー１では、カード収容部１０，２０に画像を印刷することができる。このように、カード収容部１０，２０に画像を印刷することで、カードホルダー１の購買意欲を喚起するや、ノベルティ用の製品として提供することができる。
【００２７】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【００２８】
たとえば、上述した実施形態に加えて、図７に示すように、一対のカード収容部１０，２０の上端部に首紐を通すための挿通孔１８，２８を設ける構成とすることができる。このように、一対のカード収容部１０，２０の下端部に首紐を通すための挿通孔１８，２８を設けることで、挿通孔１８，２８に首紐を通し、名刺などを入れたカードホルダー１ａを首に掛けて持ち運びすることができる。また、図８に示すように、一対のカード収容部１０，２０の下端部に首紐を通すための挿通孔１８，２８を設ける構成とすることができる。一対のカード収容部１０，２０の下端部に首紐を通すための挿通孔１８，２８を設けることで、名刺などを入れたカードホルダー１ａを首に掛けて持ち運びすることができることに加えて、一対のカード収容部１０，２０の上端部に首紐を通すための挿通孔を設ける場合と比べて、カード類の挿入を邪魔することもない。また、カードホルダー１ａの右側端部または左側端部に、挿通孔１８，２８を形成する構成としてもよい。これにより、横長の名刺やネームプレートを、横長にして持ち運びすることができる。
【符号の説明】
【００２９】
１…カードホルダー
１０…カード収容部
１１…内側樹脂シート
１２…外側樹脂シート
１３…溶着部
１４…第１挿入口
１５…第２挿入口
１６…湾曲部
１７…底部
１８…挿通孔
２０…カード収容部
２１…内側樹脂シート
２２…外側樹脂シート
２３…溶着部
２４…第１挿入口
２５…第２挿入口
２６…湾曲部
２７…底部
２８…挿通孔
３０…折り畳み部
３１…切り欠き
【図１】
2020029050.tif 000003
【図２】
2020029050.tif 000004
【図３】
2020029050.tif 000005
【図４】
2020029050.tif 000006
【図５】
2020029050.tif 000007
【図６】
2020029050.tif 000008
【図７】
2020029050.tif 000009
【図８】
2020029050.tif 000010